(57)【要約】      （修正有）【課題】書類や印刷物と、それに付随したデジタルデータを記録した、デジタル記録体を同一収納保管することができるＣＤ及びＤＶＤ収納部付きファイルを提供する。【解決手段】ファイル表紙本体には、デジタル記録体を収納自在な収納部と、前記収納部を塞ぐための蓋が備えてあり、前記収納部には、前記デジタル記録体の嵌脱を可能にするフェルトで形成された止め具と、前記デジタル記録体の入れ出しを可能にするための複数の指掛け部を備えた前記ファイル表紙本体を２枚用いて、各表表紙及び裏表紙として使用し、その表表紙と裏表紙の間に前記書類や印刷物を綴じることで、それに付随したデジタルデータを記録した前記デジタル記録体の同一収納保管が可能であることを特徴とした、ＣＤ及びＤＶＤ収納部付きファイルである。【選択図】図１
0003145003.tif 000002
【実用新案登録請求の範囲】
【請求項１】
ＣＤ及びＤＶＤからなるデジタル記録体を収納自在な収納部を備えてあるファイル表紙本体と、そのファイル表紙本体の一側に、前記収納部を塞ぐ蓋を備えてあることを特徴とする、ＣＤ及びＤＶＤ収納部付きファイル。
【請求項２】
前記収納部には、前記デジタル記録体の嵌脱を可能にする、フェルトで形成された止め具と、前記デジタル記録体の入れ出し自在を可能にする、複数の指掛け部が備えてあることを特徴とする、ＣＤ及びＤＶＤ収納部付きファイル。
【請求項３】
請求項１及び２で述べた、前記デジタル記録体が収められるように具備された、前記ファイル表紙本体を２枚用いて、各表表紙及び裏表紙として使用し、その表表紙と裏表紙の間に書類や印刷物を綴じて、前記デジタル記録体と同一収納保管することを特徴とする、ＣＤ及びＤＶＤ収納部付きファイル。
【考案の詳細な説明】
【技術分野】
【０００１】  本考案は、ファイルの表紙に蓋付きのＣＤ及びＤＶＤ収納部が備えてある、ＣＤ及びＤＶＤ収納部付きファイルに関する。
【背景技術】
【０００２】  一般の書類専用バインダーや書類専用ファイルは、書類や印刷物を加除式に綴じられる利便性はあるが、ＣＤ及びＤＶＤからなるデジタル記録体を収納する手段が考慮されていない。【０００３】  よって、前記デジタル記録体を専用ケースに入れて別々に保管するか、又は、専用収納袋や切り込みを入れた厚紙等に差し込んで、前記書類専用バインダーや書類専用ファイルの表紙に貼り付ける方法が一般的である。【０００４】  又、写真等の印刷物と、前記デジタル記録体を同一収納保管する方法として、前記デジタル記録体を専用シートに収納して、アルバム台紙と共に綴じる方式のものもある。
【非特許文献１】「写真映像  用品年鑑  ２００６年」富士フィルムイメージング株式会社工事写真帳ＣＤ・ＭＯ提出用アルバム  Ｐ．４００
【非特許文献２】「写真映像  用品年鑑  ２００６年」ハクバ写真産業株式会社  ファイルアルバム用ＣＤホルダーシート  Ｐ．３４０
【０００５】  前記写真等の印刷物と、前記デジタル記録体を冊子にして、同一収納保管するものもある。
【特許文献１】特開２００３−９４８５６号公報「学校アルバム」
【考案の開示】
【考案が解決しようとする課題】
【０００６】  近年、前記書類や印刷物をデジタルデータとして、前記デジタル記録体に保存することが一般的になってきているが、前記書類専用バインダーや書類専用ファイルには、前記デジタル記録体を収納する手段が考慮されていないため、別々に保管することを余儀なくされ、散逸しやすいという問題点が起こりやすい。【０００７】  又、前記デジタル記録体の専用ケースは、一般的にポリスチレンやポリプロピレン製を使用しているため、ひび割れ等の外損傷や部分欠損及び経年劣化が起きやすく、保持し難いという問題点がある。【０００８】  写真等の印刷物と、前記デジタル記録体を同一収納保管する方法として、前記デジタル記録体をＣＤ専用シートに収納してアルバム台紙と共に綴じる方式や切り込みを入れたＣＤホルダーシートに、前記デジタル記録体を差し込んで収納する方式のものもあるが、いずれも前記デジタル記録体の記録面にキズや外損傷が起きやすい（段落番号０００４の非特許文献１及び非特許文献２を参照）。【０００９】  又、他の方法として、アルバムの表表紙及び裏表紙に前記デジタル記録体を収めるための収納部を備え、その表表紙と裏表紙の間に印刷物を冊子にして綴じる方式のものもあるが、専門の製本業者の介在が必要で一般向けではない（段落番号０００５の特許文献を参照）。
【課題を解決するための手段】
【００１０】  本考案は、上記課題の解決手段として請求項１で述べた、前記デジタル記録体を収納自在な収納部を備えてある前記ファイル表紙本体の一側に、前記収納部を塞ぐための前記蓋を備えたことで、前記デジタル記録体のキズ、外損傷を防ぐことができる。【００１１】  請求項２で述べた、前記デジタル記録体の嵌脱を可能にするために、フェルトで形成された前記止め具は、ポリスチレンやポリプロピレン製に起こる、ひび割れ等の外損傷や部分欠損及び経年劣化の問題を解決でき、又、複数の指掛け部を備えたことにより、入れ出しが容易にできる。【００１２】  又、請求項３で述べた、前記デジタル記録体が収められるように具備された、前記ファイル表紙本体を２枚用いて、各表表紙及び裏表紙として使用し、その表表紙と裏表紙の間に、前記書類や印刷物を綴じて組み立て製本することで、同一収納保管が実現できる。
【考案の効果】
【００１３】  本考案のＣＤ及びＤＶＤ収納部付きファイルを用いて、前記書類や印刷物と、それに付随した前記デジタル記録体を同一収納保管することで、散逸を防ぐことができる。又、前記収納部に前記蓋をすることで前記デジタル記録体のキズ、外損傷を防ぐことができる。【００１４】  本考案の前記止め具には、繊維を複雑に絡ませて成形された弾性力を有するフェルトを使用することで、前記デジタル記録体を安全、かつ確実に嵌合できる。又、前記デジタル記録体の前記止め具からの嵌脱を行う際、合成樹脂製のような部分欠損や外圧による変形、及び弾性劣化や経年劣化が起こりにくく取り扱いが容易である。【００１５】  又、前記止め具に使用されるフェルトは、多彩な色が市販されているため、形成する段階から多種のデザイン、例えば色違いの断層模様や花形、ハート形等が形成できることで、ファッション性をもたすことも期待できる。【００１６】  本考案によるＣＤ及びＤＶＤ収納部付きファイルの特徴は、前記デジタル記録体を収めるための、前記収納部の周縁部に複数の指掛け部を備えることにより、前記デジタル記録体を上下、又は左右から容易に入れ出し自在にできる。【００１７】  本考案によるＣＤ及びＤＶＤ収納部付きファイルの特徴は、前記ファイル表紙本体を２枚用いて、各表表紙及び裏表紙として使用し、その表表紙と裏表紙の間に前記書類や印刷物を綴じることができる。又、組み立て製本を行う際、係止部品のビス、止めビスを使用し、その間に継ぎ足し自在なジョイントビスを介して、前記書類や印刷物を加除式に綴じることができる。
【考案を実施するための最良の形態】
【００１８】  以下、本考案のＣＤ及びＤＶＤ収納部付きファイルの実施形態及び別実施形態を図１〜図６に基づき説明する。【００１９】  図１は本考案の分解斜視図で、収納部付き表表紙１と収納部付き裏表紙２は、上下を組み替えたもので双方の構成内容は同一とみなし、収納部付き裏表紙２の詳細説明は省く。【００２０】  本考案で記述した書類や印刷物１２で示す書類とは、事務や記録を文書にした書面であり、印刷物とは紙、フィルム、布、印画紙、その他に印刷、又は転写したものである。又、それらを収納することが可能な袋類も含む。【００２１】  図１で示す厚紙等で形成されたファイル表紙本体３の裏面に、前記デジタル記録体の外径より若干大径の形状で１箇所以上、例えば２箇所に、前記デジタル記録体を収納自在に収めることのできる、凹設した収納部８が備えてあり、又、収納部８の周縁斜め４箇所に上下、又は左右入れ出し自在を可能にする、指掛け部９が備えてある。【００２２】  図２は図１のａ−ａの断面を示す図で、ファイル表紙本体３の裏面に凹設された収納部８の中央部に、前記デジタル記録体の記録面と収納部８の床面との接触を防ぐために、薄手の厚紙等で形成された直径３５ｍｍ前後の円板状の板片を床面に接着固定させて、前記デジタル記録体の受け台１０として備える。又、収納部８に収められた前記デジタル記録体の嵌脱を可能にする、止め具１１は、前記デジタル記録体の中央に孔設されたクランプ孔の内径より、若干大径で形成されたフェルトを使用して、受け台１０の上面中央に接着固定する。【００２３】  図１、図３で示すファイル表紙本体３の一側に、凹設された収納部８を塞ぐため、厚紙等で形成された上下、又は左右開閉自在な蓋６と、蓋６を開いたときにファイル表紙本体３との干渉を防ぐための溝部７ａを介在させて係着させる。又、蓋６に係着する他の一側に、厚紙等で形成された帯板状の綴じしろ４と、ファイル表紙本体３を開いたときに、綴じしろ４との干渉を防ぐための溝部７ｂを介在させて係着させる。又、綴じしろ４は組み立て製本を行う際、ビス等の係止部品を通すための複数、例えば２つの綴じ孔５があけられている。【００２４】  上記で述べた蓋６の形状はファイル表紙本体３の高さと同じ長さで、収納部８を塞いだ状態の時に、綴じしろ４と重ならない適当な長さの幅で形成されている。【００２５】  図１、図３で示す、書類や印刷物１２は、図１で記載の綴じしろ４にあけられた綴じ孔５と同位置及び同数の、書類や印刷物用綴じ孔１３があけられており、組み立て製本を行う際、収納部付き表表紙１と収納部付き裏表紙２及び、その間に綴じられる書類や印刷物１２の各綴じ孔に係止部品のビス１６、止めビス１４と、その間に継ぎ足し自在なジョイントビス１５を介して綴じることができる。【００２６】  図４は別実施形態の分解斜視図で、図１で示すように収納部付き表表紙１及び収納部付き裏表紙２は、それぞれが単体で構成されているため、どちらか一方を収納部８及び蓋６を具備しない、厚紙等で形成された普通表紙１７と組み替えることもできる。又、本考案のＣＤ及びＤＶＤ収納部付きファイルの組み立て製本を行う際、表表紙と裏表紙の間に、薄手の厚紙等で形成された背表紙２１を任意で組み込むこともできる。【００２７】  図５は普通表紙１７の正面図で、普通表紙本体１８の一側に、厚紙等で形成された帯板状の普通表紙用綴じしろ１９と、普通表紙本体１８を開いたときに普通表紙用綴じしろ１９との干渉を防ぐための溝部７ｃを介在させて係着させる。又、普通表紙用綴じしろ１９には、図１で記載の綴じしろ４にあけられた綴じ孔５と同位置及び同数の、普通表紙用綴じ孔２０があけてある。【００２８】  図６は図４の背表紙２１の正面図で、薄手の厚紙等で形成された折り曲げ自在な板紙の一側に、図１で記載の綴じしろ４にあけられた綴じ孔５と同位置及び同数の、背表紙用綴じ孔２２及び背幅分あけた位置に、背表紙用綴じ長孔２３があけてある。又、背表紙用綴じ長孔２３は書類や印刷物１２の量に応じて、背幅を調整できる。【００２９】  上記で述べた収納部付き表表紙１、収納部付き裏表紙２、普通表紙１７及び背表紙２１の表紙面の加工には布、フェルト又は紙等、例えば和紙で化粧貼りを施すことで、箔押しなどの後処理加工も容易にできる。又、収納部付き表表紙１、収納部付き裏表紙２、普通表紙１７の裏面は、布や紙等を貼着して整える。【００３０】  他の形態として、先の実施形態で説明したＣＤ及びＤＶＤからなるデジタル記録体とは、例えば音楽用ＣＤ、ブルーレイ、ＣＤ−ＲＯＭ、ＣＤ−ＲＡＭ、及びＭＤでもよく、それらを総称してデジタル記録体という。
【産業上の利用可能性】
【００３１】  本考案の目的は、合成樹脂以外からなる、例えば紙、布及びフェルト等の天然素材や再生紙を使用することで、環境保護に貢献できる。【００３２】  本考案のＣＤ及びＤＶＤ収納部付きファイルの構成基材は、厚紙等の材料を使用することで吸湿性や遮光性効果も得られ、前記デジタル記録体の弱点でもあった湿気や紫外線による経年劣化を抑えることができる。【００３３】  本考案のＣＤ及びＤＶＤ収納部付きファイルは、映像メディア用、又は音楽用の前記デジタル記録体と、それに関連した解説書や歌詞カード及び写真集等の印刷物のページ数を増やすことができるため、企画制作が容易に行える。【００３４】  本考案により提供できることは、出力デバイスに依存しない書類や印刷物の視覚情報による検索の利便性と、前記デジタル記録体に記録されたデジタルデータのランダムアクセス及び転送、複写などの利便性が同一収納保管することで共有できる。【００３５】  本考案のＣＤ及びＤＶＤ収納部付きファイルは、例えば一般的に使用されている、定型サイズのＡ４判の書類専用バインダーや書類専用ファイルと同寸法、同形状で成形が可能なため、保管管理に特別な書類用ケース、又はロッカー等の設備が不要である。【００３６】  本考案の一例として例えば、Ａ４サイズでＣＤ及びＤＶＤを１枚以上、４枚まで収納が可能で、又、Ａ５サイズでは１枚以上、２枚まで収納することが可能である。又、本体の大きさは定形サイズ（Ａ４、Ａ５サイズ）より若干大きくなる程度なので、書類の整理や病院カルテの管理、又はカタログやパンフレット等の書類や印刷物と、それに付随したデジタルデータを記録した、ＣＤ及びＤＶＤを同一収納保管することが容易にできる。
【図面の簡単な説明】
【００３７】
【図１】  「本考案を示す分解斜視図である。」
【図２】  「本考案の図面１で示すａ−ａの断面図である。」
【図３】  「本考案を示す外観斜視図である。」
【図４】  「本考案の別実施形態を示す分解斜視図である。」
【図５】  「本考案の別実施形態を示す普通表紙の正面図である。」
【図６】  「本考案の別実施形態を示す背表紙の正面図である。」
【符号の説明】
【００３８】１収納部付き表表紙  ２収納部付き裏表紙  ３ファイル表紙本体  ４綴じしろ  ５綴じ孔  ６蓋  ７ａ溝部  ７ｂ溝部  ７ｃ溝部  ８収納部  ９指掛け部  １０受け台  １１止め具  １２書類や印刷物  １３書類や印刷物用綴じ孔  １４止めビス  １５ジョイントビス  １６ビス  １７普通表紙  １８普通表紙本体  １９普通表紙用綴じしろ  ２０普通表紙用綴じ  ２１背表紙  ２２背表紙用綴じ孔  ２３背表紙用長孔
【図１】
0003145003.tif 000003
【図２】
0003145003.tif 000004
【図３】
0003145003.tif 000005
【図４】
0003145003.tif 000006
【図５】
0003145003.tif 000007
【図６】
0003145003.tif 000008
【手続補正書】
【提出日】平成20年4月16日(2008.4.16)
【手続補正１】
【補正対象書類名】明細書
【補正対象項目名】００２２
【補正方法】変更
【補正の内容】
【００２２】  図２は図１のａ−ａの断面を示す図で、ファイル表紙本体３の裏面に凹設された収納部８の中央部に、前記デジタル記録体の記録面と収納部８の床面との接触を防ぐために凸部を備える。例えば、薄手の厚紙等で形成された直径３５ｍｍ前後の円板状の板片を床面に接着固定させて、前記デジタル記録体の受け台１０として備える。又、収納部８に収められた前記デジタル記録体の嵌脱を可能にする、止め具１１は、前記デジタル記録体の中央に孔設されたクランプ孔の内径より、若干大径で形成されたフェルトを使用して、受け台１０の上面中央に接着固定する。
【手続補正書】
【提出日】平成20年6月18日(2008.6.18)
【手続補正１】
【補正対象書類名】実用新案登録請求の範囲
【補正対象項目名】全文
【補正方法】変更
【補正の内容】
【実用新案登録請求の範囲】
【請求項１】
ＣＤ及びＤＶＤからなるデジタル記録体を収納自在な収納部を備えてあるファイル表紙本体の一側に、前記収納部を塞ぐ蓋を備えてあることを特徴とする、ＣＤ及びＤＶＤ収納部付きファイル。
【請求項２】
前記収納部には、前記デジタル記録体の嵌脱を可能にする、フェルトで形成された止め具と、前記デジタル記録体の入れ出し自在を可能にする、複数の指掛け部が備えてあることを特徴とする請求項１に記載のＣＤ及びＤＶＤ収納部付きファイル。
【請求項３】
前記デジタル記録体が収められるように具備された、前記ＣＤ及びＤＶＤ収納部付きファイルを２枚用いて、各表表紙及び裏表紙として使用し、その表表紙と裏表紙の間に書類や印刷物を綴じて、前記デジタル記録体と同一収納保管することを特徴とする請求項１又は２に記載のＣＤ及びＤＶＤ収納部付きファイル。